(57)【要約】【課題】  水に濡れた手でも簡単に且つ手早く開封できる飼料用包装袋を提供すること。【解決手段】  本考案の飼料用包装袋は、気密性フィルムで形成された内袋２と、紙製外袋３とからなる二重構造の飼料用包装袋１であって、内袋２内に飼料１０を密閉封入し、開封側の端から３０〜２００ｍｍ内側までの内袋２と外袋３とを接着せずに非接着部７となし、該非接着部７における内袋２に開封手段４ａを設け、該非接着部７における外袋３の端部を開口させたことを特徴とする。好ましくは、該飼料用包装袋１に、内袋２内の空気を抜くための脱気具９を取り付ける。【選択図】  図１
0003109389.tif 000002
【実用新案登録請求の範囲】
【請求項１】
気密性フィルムで形成された内袋と、紙製外袋とからなる二重構造の飼料用包装袋であって、内袋内に飼料を密閉封入し、開封側の端から３０〜２００ｍｍ内側までの内袋と外袋とを接着せずに非接着部となし、該非接着部における内袋に開封手段を設け、該非接着部における外袋の端部を開口させたことを特徴とする飼料用包装袋。
【請求項２】
上記内袋内の空気を抜くための脱気具が取り付けられている請求項１記載の飼料用包装袋。
【請求項３】
上記脱気具が、包装袋に装着された脱気弁又は上記内袋内に貼付された脱酸素剤収納袋である請求項２記載の飼料用包装袋。
【請求項４】
上記気密性フィルムが、酸素透過度１００cc／m2・atm ／24hour以下のフィルムである請求項１〜３の何れかに記載の飼料用包装袋。
【請求項５】
上記気密性フィルムが、アルミ蒸着ポリエチレンテレフタレートフィルムである請求項４記載の飼料用包装袋。
【考案の詳細な説明】
【技術分野】
【０００１】
本考案は、養殖用飼料などの飼料を入れる包装袋に関するものであり、本考案の飼料用包装袋は、特に、水に濡れた手で取り扱われることの多い養魚用飼料の包装袋として好適なものである。
【背景技術】
【０００２】
飼料用包装袋、特に、水分含量が高くソフトな固形飼料を入れる包装袋としては、空気や湿気の進入を防ぐために、気密性及び防湿性を有する包材を使用することが好ましい。斯かる包材としては、従来、ナイロン製袋又はアルミ製袋が使用されている。
しかし、養魚場などの養殖場では、飼料用包装袋を水に濡れた手で取り扱うことが多く、ナイロン製袋やアルミ製袋は、手が滑りやすく、扱いにくいとの問題がある。また、特にアルミ製袋は、破損しやすいとの問題もある。
これらの問題を解決するために、上記のナイロン製袋やアルミ製袋を更に紙袋で包んで二重構造とした飼料用包装袋がある。
【考案の開示】
【考案が解決しようとする課題】
【０００３】
上記の二重構造とした飼料用包装袋は、開封作業が、外袋の紙袋を破る作業と内袋のナイロン製袋又はアルミ製袋を破る作業の２回必要で、手間と時間がかかり、１日に何百袋も開封する養殖業者の負担となっている。
また、上記の二重構造とした飼料用包装袋は、保管や輸送などの際の積みつけ時に不安定であり、荷崩れを起こしやすいとの問題がある。
【０００４】
従って、本考案の目的は、水に濡れた手でも簡単に且つ手早く開封できる飼料用包装袋を提供することにより、養殖業者の上記負担を軽減することにある。また、保管や輸送などの際の積みつけ時に、荷崩れを起こしにくい飼料用包装袋を提供することにある。
【課題を解決するための手段】
【０００５】
本考案は、下記の飼料用包装袋を提供することにより、上記目的を達成したものである。
気密性フィルムで形成された内袋と、紙製外袋とからなる二重構造の飼料用包装袋であって、内袋内に飼料を密閉封入し、開封側の端から３０〜２００ｍｍ内側までの内袋と外袋とを接着せずに非接着部となし、該非接着部における内袋に開封手段を設け、該非接着部における外袋の端部を開口させたことを特徴とする飼料用包装袋（請求項１に係る考案）。
上記の請求項１に係る考案の飼料用包装袋において、上記内袋内の空気を抜くための脱気具が取り付けられている飼料用包装袋（請求項２に係る考案）。
上記の請求項２に係る考案の飼料用包装袋において、上記脱気具が、包装袋に装着された脱気弁又は上記内袋内に貼付された脱酸素剤収納袋である飼料用包装袋（請求項３に係る考案）。
上記の請求項１〜３の何れかに係る考案の飼料用包装袋において、上記気密性フィルムが、酸素透過度１００cc／m2・atm ／24hour以下のフィルムである飼料用包装袋（請求項４に係る考案）。
上記の請求項４に係る考案の飼料用包装袋において、上記気密性フィルムが、アルミ蒸着ポリエチレンテレフタレートフィルムである飼料用包装袋（請求項５に係る考案）。
【考案の効果】
【０００６】
請求項１に係る考案の飼料用包装袋は、水に濡れた手でも簡単に且つ手早く開封することができるとの効果を奏するものである。
請求項２及び３に係る考案の飼料用包装袋は、請求項１に係る考案が奏する効果に加えて、保管や輸送などの際の積みつけ時に、荷崩れを起こしにくいとの効果を奏するものである。
請求項４及び５に係る考案の飼料用包装袋は、特に気密性及び防湿性に優れたもので、水分含量が高くソフトな養魚用固形飼料を入れる包装袋として特に好適なものである。
【考案を実施するための最良の形態】
【０００７】
本考案の飼料用包装袋を図１〜図３に示す好ましい実施形態について説明する。
図１は本実施形態の断面図であり、図２は本実施形態の開封側を、外袋の一部を切欠して示す部分斜視図であり、図３は本実施形態の平面図である。
本実施形態の飼料用包装袋１は、水に濡れた手で取り扱われることの多い養魚用飼料の包装袋であって、図１に示すように、内袋２と、該内袋２と略同サイズの外袋３とからなる縦７８７ｍｍ×横４９５ｍｍの二重構造の包装袋である。尚、飼料用包装袋のサイズは、通常５００〜９００ｍｍ×３００〜６００ｍｍ程度である。
【０００８】
上記内袋２は、湿気及び酸素などによる養魚用飼料の品質低下などを防止するため、気密性フィルムで形成されている。斯かる気密性フィルムとしては、酸素透過度１００cc／m2・atm ／24hour（２０〜２５℃）以下のフィルムが好ましく、具体的には、アルミ蒸着ＰＥＴ（ポリエチレンテレフタレート）フィルム、アルミ箔、酸化アルミニウム、シリカ、ガラスなどを蒸着させた透明蒸着ＰＥＴフィルム、バリヤナイロンフィルムなどが挙げられ、これらの中でも、遮光性、気密性、耐久性や、コスト面などの点からアルミ蒸着ＰＥＴフィルムが好ましい。
上記内袋２は、その袋内に養魚用飼料１０が封入されており、周辺部は熱圧着された封止部４により封止されている。
【０００９】
上記外袋３は、水に濡れた手でも取り扱いの容易な紙製袋であり、開封側の端から７０ｍｍ内側の接着部５及び開封側とは反対側の端の接着部６で上記内袋２と接着されて、上記内袋２に取り付けられている。開封側の端と接着部５との間及び接着部５と接着部６との間の内袋２と外袋３とは、接着されておらず、それぞれ非接着部７及び非接着部８となっている。
【００１０】
図２に示すように、上記非接着部７における内袋２の両側封止部４には、内袋２の開封手段としてＶ字状の切り口４ａがそれぞれ設けられている。また、図１に示すように、上記非接着部７における外袋３の端部は開口されている。
また、図１及び図３に示すように、上記非接着部８の「開封側とは反対側の端部近傍の略中央部」には、内袋３内の空気を抜くための脱気弁９が装着されている。
【００１１】
本実施形態の飼料用包装袋１は、開封側の外袋３の端部が開口されているため、開封作業は、切り口４ａの入った内袋２の封止部４を切り裂くだけであり、水に濡れた手でも簡単に且つ手早く行うことができる。また、非接着部７における内袋２の外周囲が、外袋３により囲まれているため、ハンドリング中の内袋２の擦れによるピンホールの発生などがなく、破損しにくい。また、脱気弁９により内袋２内の空気が抜かれているため、積みつけ時に安定しており、荷崩れを起こしにくく、また内袋２としてアルミ蒸着ＰＥＴフィルムなどの気密性フィルム製の袋を用いていることと相俟って、中身の飼料の酸化や吸湿を防止することができる。
【００１２】
本考案は、上記実施形態に限定されるものではなく、種々の変更が可能である。例えば、上記実施形態では、開封側の端から７０ｍｍ内側までの内袋と外袋とを接着せずに非接着部７となしたが、該非接着部７の範囲は、飼料用包装袋のサイズなどを考慮して、開封側の端から３０〜２００ｍｍ内側、好ましくは５０〜２００ｍｍ内側の範囲内で適宜決めれば良い。また、上記実施形態では、内袋３内の空気を抜くための脱気具として、脱気弁９を装着したが、該脱気弁９の代わりに又は該脱気弁９と共に、内袋３内に脱酸素剤収納袋を貼付しても良い。また、上記実施形態では、接着部５と接着部６との間の内袋２と外袋３とを接着せず、非接着部８となしてあるが、この間の内袋２と外袋３とを接着しても良い。また、内袋２の開封手段としては、上記のＶ字状の切り口４ａの代わりに、Ｕ字型や亀の子型などの切り口としても良く、またマジックカットなどを採用しても良い。
【図面の簡単な説明】
【００１３】
【図１】本考案の飼料用包装袋の好ましい一実施形態を示す断面図である。
【図２】図１に示す実施形態の開封側を、外袋の一部を切欠して示す部分斜視図である。
【図３】図１に示す実施形態の平面図である。
【符号の説明】
【００１４】
１  飼料用包装袋
２  内袋
３  外袋
４  封止部
４ａ  開封手段（切り口）
５，６  接着部
７，８  非接着部
９  脱気具（脱気弁）
１０  飼料
【図１】
0003109389.tif 000003
【図２】
0003109389.tif 000004
【図３】
0003109389.tif 000005